(57)【要約】  【課題】      ゴルフ場等のグリーンの定期的な芝の養生を、無駄に芝コアを廃棄することなく、再生して処理することにある。  【解決手段】      ゴルフ場等のグリーンの上面の打ち抜いた芝コアを芝コア再生装置１のホッパー３に投入して芝コア再生装置１のドライヤー２を通過させてその内周壁１０に配設した掻き上げ羽根等を介して粉砕・加熱処理し、上記芝コアの粉砕・加熱処理した芝コアの再生砂を上記芝コアを打ち抜いたグリーンの上面に散布してグリーンの芝を養生するものである。ホッパー３に投入した芝コアを粉砕器９で均一状に粉砕して、ドライヤーで加熱処理するのが好ましい。【選択図】    図１
2005095059.tif 000002
【特許請求の範囲】
【請求項１】
ゴルフ場等のグリーンの上面の打ち抜いた芝コアを芝コア再生装置のホッパーに投入
して芝コア再生装置のドライヤーを通過させてその内周壁に配設した掻き上げ羽等を介し
て粉砕・加熱処理し、
上記芝コアの粉砕・加熱処理した芝コアの再生砂を上記芝コアを打ち抜いたグリーン
の上面に散布してグリーンの芝を養生することを特徴とするゴルフ場等のグリーンの芝養
生方法。
【請求項２】
ホッパーに投入した芝コアを粉砕器で均一状に粉砕してドライヤーで加熱処理する請
求項１に記載のゴルフ場等のグリーンの芝養生方法。
【請求項３】
芝コア再生装置を運搬車に搭載してゴルフ場等の各グリーンの側方部に搬送してグリ
ーンの打ち抜いた芝コアの粉砕・加熱処理した芝コアの再生砂を上記芝コアを打ち抜いた
グリーンの上面に散布してグリーンの芝を養生する請求項１または２に記載のゴルフ場等
のグリーンの芝養生方法。
【請求項４】
ゴルフ場等のグリーンの上面の打ち抜いた芝コアを芝コア再生装置のホッパーに投入
して芝コア再生装置のドライヤーを通過させてその内周壁に配設した掻き上げ羽等を介し
て粉砕・加熱処理するゴルフ場等のグリーンの芝養生処理装置であって、
ホッパーに投入した芝コアを粉砕機で均一状に粉砕してドライヤーで加熱処理するよ
うに芝コアを粉砕する粉砕器を備えるとともに、
ゴルフ場等の各グリーンに搬送してグリーンの打ち抜いた芝コアの粉砕・加熱処理し
た芝コアの再生砂を上記芝コアを打ち抜いたグリーンの上面に散布可能に芝コア再生装置
を運搬車に搭載して搬送自在に形成したことを特徴とするゴルフ場等のグリーンの芝養生
処理装置。
【発明の詳細な説明】
【技術分野】
【０００１】
本発明は、スポーツ・娯楽分野、その他におけるゴルフ場等のグリーンの芝養生方法
および装置に関するものである。
【背景技術】
【０００２】
ゴルフ場のグリーンは、その品質を保持するため、各ホール毎にメイングリーンとサ
ブグリーン等を複数設けて、春、秋等の各シーズン毎に所要のグリーンの上面に芝コア処
理装置を走行してグリーンの上面を打ち抜いて芝コアを採取し、新鮮な空気を補充するよ
うにしている。
【０００３】
そして、上記グリーンの芝を養生するのに新鮮な砂をグリーンの上面に均一状に散布
し、グリーンの芝を養生して再生し、良好な状態となったら使用できるように維持管理し
ている。
【０００４】
しかし、上記した芝コア処理装置で打ち抜いた芝コアは集めて山谷部などに数十トン
も廃棄処理され、また新鮮な砂を購入して窒素、リン、カリを補充して散布していて、そ
の量も十数トンにもなるものであった。
【０００５】
そこで、このような特許について先行特許調査をした結果、特開平９−１５４３８０
号公報のグリーンコア処理機や、特開平５−２８０７２５号公報の焼土装置等が検索され
た。しかし、これらでは、グリーンの上面の芝コアを拾い集めて土砂とサッチとに機械的
に選択するものであったり、ゴルフ場でのデボットやグリーンの養生に使用される目土を
熱処理して殺菌したり、水分を蒸発するように焼土して、デボットやグリーンに散布する
ことが提案されているにすぎないものであった。
【特許文献１】特開平９−１５４３８０号公報
【特許文献２】特開平５−２８０７２５号公報
【発明の開示】
【発明が解決しようとする課題】
【０００６】
本発明の解決しようとする課題は、上記したようにゴルフ場等のグリーンの上面を打
ち抜いた芝コアを有効に再生して、新鮮な芝砂としてグリーンに散布できるようにし、資
源をできるだけ再利用して無駄に廃棄する手間や費用を低減することにある。
【課題を解決するための手段】
【０００７】
本発明は、ゴルフ場等のグリーンの上面の打ち抜いた芝コアを芝コア再生装置のホッ
パーに投入して芝コア再生装置のドライヤーを通過させてその内周壁に配設した掻き上げ
羽等を介して粉砕・加熱処理し、芝コアの粉砕・加熱処理した芝コアの再生砂を芝コアを
打ち抜いたグリーンの上面に散布してグリーンの芝を養生することを特徴とするゴルフ場
等のグリーンの芝養生方法を提供するものである。
【０００８】
また、ホッパーに投入した芝コアを粉砕器で均一状に粉砕してドライヤーで加熱処理
するゴルフ場等のグリーンの芝養生方法を提供するものである。
【０００９】
さらに、芝コア再生装置を運搬車に搭載してゴルフ場等の各グリーンの側方部に搬送
してグリーンの打ち抜いた芝コアの粉砕・加熱処理した芝コアの再生砂を上記芝コアを打
ち抜いたグリーンの上面に散布してグリーンの芝を養生するゴルフ場等のグリーンの芝養
生方法を提供するものである。
【００１０】
またさらに、ゴルフ場等のグリーンの上面の打ち抜いた芝コアを芝コア再生装置のホ
ッパーに投入して芝コア再生装置のドライヤーを通過させてその内周壁に配設した掻き上
げ羽等を介して粉砕・加熱処理するゴルフ場等のグリーンの芝養生処理装置であって、ホ
ッパーに投入した芝コアを粉砕機で均一状に粉砕してドライヤーで加熱処理するように芝
コアを粉砕する粉砕機を備えるとともに、ゴルフ場等の各グリーンに搬送してグリーンの
打ち抜いた芝コアの粉砕・加熱処理した芝コアの再生砂を上記芝コアを打ち抜いたグリー
ンの上面に散布可能に芝コア再生装置を運搬車に搭載し搬送自在に形成したことを特徴と
するゴルフ場等のグリーンの芝養生処理装置を提案するものである。
【発明の効果】
【００１１】
本発明のゴルフ場等のグリーンの芝養生方法および装置は、ゴルフ場等のグリーンの
上面の打ち抜いた芝コアを芝コア再生装置のホッパーに投入して芝コア再生装置のドライ
ヤーを通過させてその内周壁に配設した掻き上げ羽等を介して粉砕・加熱処理し、芝コア
の粉砕・加熱処理した芝コアの再生砂を芝コアを打ち抜いたグリーンの上面に散布してグ
リーンの芝を養生するもので、グリーンで使用されていた多量の芝コアを山谷等に無駄に
廃棄せず、殺菌処理し、乾燥処理して再利用可能にすることができる。
【００１２】
そして、上記芝コアの粉砕・加熱処理した芝コアの再生砂を芝コアを打ち抜いたグリ
ーンの上面に散布してグリーンの芝を養生するので、上記したグリーンの芝コアを再利用
できて、新規に芝砂を購入する必要なく、グリーンの芝を養生して再利用することができ
、従来のように無駄に廃棄する手間や費用を低減することができる。
【００１３】
また、ホッパーに投入した芝コアを粉砕器で均一状に粉砕してドライヤーで加熱処理
することによって、円筒状の芝コアを均一な粉粒状に粉砕できて、ドライヤーで加熱処理
できる。
【００１４】
さらに、芝コア再生装置を運搬車に搭載してゴルフ場等の各グリーンの側方部に搬送
してグリーンの打ち抜いた芝コアの粉砕・加熱処理した芝コアの再生砂を上記芝コアを打
ち抜いたグリーンの上面に散布してグリーンの芝を養生することによって、所要のグリー
ンサイドで芝コアの再生処理を行なうことができ、グリーンの芝の再生のための芝コア、
再生の芝砂のハンドリングをできるだけ省力化することができる。
【００１５】
またさらに、ゴルフ場等のグリーンの上面の打ち抜いた芝コアを芝コア再生装置のホ
ッパーに投入して芝コア再生装置のドライヤーを通過させてその内周壁に配設した掻き上
げ羽等を介して粉砕・加熱処理するゴルフ場等のグリーンの芝養生処理装置であって、ホ
ッパーに投入した芝コアを粉砕器で均一状に粉砕してドライヤーで加熱処理するように芝
コアを粉砕する粉砕器を備えるとともに、ゴルフ場等の各グリーンに搬送してグリーンの
打ち抜いた芝コアの粉砕・加熱処理した芝コアの再生砂を上記芝コアを打ち抜いたグリー
ンの上面に散布可能に芝コア再生装置を運搬車に搭載して搬送自在に形成することによっ
て、芝コア再生装置を搬送できて、上記のように所要のグリーンサイドで芝コアの再生処
理を行なうことができ、グリーンの芝の再生のための芝コア、再生の芝砂のハンドリング
をできるだけ省力化することができる。
【発明を実施するための最良の形態】
【００１６】
本発明のゴルフ場等のグリーンの芝養生方法および装置は、ゴルフ場、サッカー場、
野球場、公園、庭園等のグリーンの上面の打ち抜いた芝コアを芝コア再生装置のホッパー
に投入して芝コア再生装置のドライヤーを通過させてその内周壁に配設した掻き上げ羽等
を介して粉砕・加熱処理し、上記芝コアの粉砕・加熱処理した芝コアの再生砂を上記芝コ
アを打ち抜いたグリーンの上面に散布してグリーンの芝を養生することを特徴としている
。
【００１７】
芝コア再生装置１は、図１〜図３のように所定長さとした筒状のドライヤー２の一側
端側に芝コア投入用のホッパー３を接続し、他側端部に芝コアを再生した再生砂を受ける
回収箱４を配設し、公知の芝コア処理機で打ち抜いた芝コアを再生して再生砂をグリーン
の上面に散布してグリーンの芝を養生できるようにしている。
【００１８】
ホッパー３は、芝コアを１〜２トン分位投入できる容量とし、図１、図２のようにそ
の底部にスクリューフィーダー等のフィーダー５を配設してドライヤー２の一側端部の投
入口６に接続し、順次一定量の芝コアをドライヤー２に投入できるようにしている。
【００１９】
ドライヤー２は、３〜５ｍ位の所定の長さのやや傾斜させた筒状のドラム７として、
一側端部にはＬＰＧや灯油等での加熱バーナー８を配設して、ドライヤー２内を４００〜
７００℃位に加熱して、投入する芝コアを十分に殺菌、乾燥できるようにしている。
【００２０】
そして、このドライヤー２の側方部のドラム７の下周部に、図１〜図３のように１０
〜１５ｍｍ径、３００〜５００ｍｍ長さの鉄棒のロールの粉砕器９を１〜３本を転動自在
に内装し、投入された芝コアをドライヤー２の回転による粉砕器９のドラム８内での転動
によって粉砕して均一な粉粒体として下流側に送給できるようにしている。
【００２１】
このドライヤー２の粉砕器９を内装したドラム７の下流側には、内周壁１０に一定の
間隔で掻き上げ羽根１１をそれぞれ所定の長さにわたって配設していて、粉砕器９で粉砕
された芝コアの粉粒体をドラム７の内周壁１０にそって掻き上げて途中で自然落下させ、
加熱バーナー８による熱風によって加熱して殺菌処理するとともに乾燥処理し、他端部に
開口した排出口１２から排出してシュート１３等を介して上記した回収箱４に回収するよ
うにし、回収した芝コアの再生砂を適宜に取り出してグリーンの上面に均一状に散布でき
るようにしている。
【００２２】
１４はドライヤー２の他端部に配設したドライヤー回転用の駆動装置で、所要の減速
機を介してタイマー等で一定時間ドライヤー２のドラム７を回転駆動自在としている。１
５、１６はドラム７の枢支台である。上記した芝コア再生装置１は、１８００〜２０００
ｍｍ幅×３０００〜５０００ｍｍ長さとしてトラック等の荷台に載搭可能な形状、寸法と
して搬送可能とするのが、ゴルフ場等の各ホールのグリーンの側方部に搬送して使用でき
、所要のグリーンサイドで芝コアの再生処理を行なうことができ、グリーンの芝の再生の
ための芝コア、再生の芝砂のハンドリングをできるだけ省力化することができて好ましい
。１７は所要高さの架台である。
【００２３】
なお、粉砕器９としては、図４のようなホッパー３の下部に円錐状に配設した円錐状
のものや、図５のように粉挽臼状のものにするなど、適宜なものとしてドライヤー２に接
続することができる。
【００２４】
また、ドライヤー２としては、一重のドラムとしたが、二重ドラムとして芝コアを内
周と外周にわたって通過させて、ドラム７の長さをほぼ２分の１としたりするなど、適宜
な変形態様を実施することができる。
【実施例】
【００２５】
図１〜図３は、本発明の一実施例で、芝コア再生装置１のドライヤー２を１０００ｍ
ｍ径、３５００ｍｍ長さとし、灯油の加熱バーナー７で加熱可能としたもので、一側部に
ショベルカー等の搬送部とほぼ同一幅とした１５００×１２００ｍｍ開口径の２トン容量
のホッパー３を配設して、スクリューフィーダー５を介して上記ドライヤー２に接続した
ものである。
【００２６】
上記ホッパー３にゴルフ場のグリーンの上面を打ち抜きした芝コアをショベルカーで
２トン投入して、ドライヤー２を４５０℃に加熱して試運転した。約１時間で芝コアを上
記した粉砕器９で粉砕しながら加熱できて、端部の排出口１２から回収箱４に回収できた
。回収できた再生砂を検査した結果、ほぼ均一状の砂材で、その品質も所要の窒素、リン
、カリの栄養分等を有する性状を保持していて、従来の新鮮な砂と変わらないものであっ
た。
【００２７】
特に、ドライヤーで加熱乾燥するため、芝コア中の細菌を殺菌処理できてグリーンの
芝を強化でき、また窒素、リン、カリの栄養分を維持できるため従来のような川砂を焼い
て窒素、リン、カリの栄養分の補充量を５０％以上削減することができる。また、グリー
ンの補修にあっては、上記のように芝コアを再生するため、１０％位の砂の補充でよくな
り、手間、材料、資源等の多大な節約がはかれる。
【産業上の利用可能性】
【００２８】
本発明は、上記したゴルフ場のグリーンの他に、サッカー場、野球場、公園、庭園等
のグリーンについても同様に適用できるものである。
【図面の簡単な説明】
【００２９】
【図１】本発明の一実施例の一部省略した概要説明用平面図、
【図２】同上の側面図、
【図３】図２のドライヤーのＡ−Ａ部拡大側断面図、
【図４】同上の粉砕器部の他の実施例の側断面図、
【図５】同上のさらに他の粉砕器部の他の実施例の側断面図、
【符号の説明】
【００３０】
１…芝コア再生装置      ２…ドライヤー      ３…ホッパー      ７…ドラム
９…粉砕器
【図１】
2005095059.tif 000003
【図２】
2005095059.tif 000004
【図３】
2005095059.tif 000005
【図４】
2005095059.tif 000006
【図５】
2005095059.tif 000007